(57)【要約】      （修正有）【課題】竹に窓をあけて中から人形が顔を出すという造形を提供する。【解決手段】下方に節部を残し、節部の上方を長く用いて切り取った竹または竹を模した成型品を縦に使い、竹の前面中央近くに大きな窓を開けて、中に前を向けた人形３を入れる。【選択図】図１
2015213726.tif 000002
【特許請求の範囲】
【請求項１】
下方に節部を残し、節部の上方を長く用いて切り取った竹または竹を模した成型品を縦に使い、竹の前面中央近くに大きな窓を開けて、中に前を向けた人形を入れる構造。
【請求項２】
下方に節部を残し、節部の上方を長く用いて切り取った竹または竹を模した成型品を縦に使い、竹の前面中央近くに大きな窓を開けて、中に前を向けた人形を入れる構造の内、竹の中央後側に前側より小さな窓を付けて明かり取りとする構造。
【請求項３】
下方に節部を残し、節部の上方を長く用いて切り取った竹または竹を模した成型品を縦に使い、竹の前面中央近くに大きな窓を開けて、中に前を向けた人形を入れる構造の内、竹の上方の節部をそのまま屋根部とするか、上方の節部の下で切った上で接着または取り外し可能な嵌合式とする構造。
【請求項４】
下方に節部を残し、節部の上方を長く用いて切り取った竹または竹を模した成型品を縦に使い、竹の前面中央近くに大きな窓を開けて、中に前を向けた人形を入れる構造の内、屋根部として略円錐形のとんがり屋根をのせる構造。
【請求項５】
下方に節部を残し、節部の上方を長く用いて切り取った竹または竹を模した成型品を縦に使い、竹の前面中央近くに大きな窓を開けて、中に前を向けた人形を入れる構造の内、屋根部として角部を切り取った切妻屋根とする構造。
【請求項６】
下方に節部を残し、節部の上方を長く用いて切り取った竹または竹を模した成型品を縦に使い、竹の前面中央近くに大きな窓を開けて、中に前を向けた人形を入れる構造の内、屋根部として角部を切り取った片流れ屋根とする構造。
【請求項７】
下方に節部を残し、節部の上方を長く用いて切り取った竹または竹を模した成型品を縦に使い、竹の前面中央近くに大きな窓を開けて、中に前を向けた人形を入れる構造の内、人形が略円形の台の上に一体的に立っていることにより、竹の前面の大きな窓から容易に出し入れでき、竹の付近に同じ姿勢で置くことができる構造。
【発明の詳細な説明】
【技術分野】
【０００１】  本発明は竹と人形を伴う飾り物に関するものである。
【背景技術】
【０００２】  竹と人形といえば、竹取物語のかぐや姫が竹を切った中から出てくるという物語が思い出されるが、この場合の切り口のイメージは斜め輪切りで、窓をあけるというイメージはない。また一般的にも、竹に窓をあけて中から人形が顔を出すという造形は見ていない。
【先行技術文献】
【特許文献】
【０００３】  本発明と類似の公報文献は見当たらなかった。
【発明の概要】
【発明が解決しようとする課題】
【０００４】  側方に竹林のある田舎道を歩いていて、竹の切り株や、切り株が裂けた後の竹の部屋を見て、妖精の住家を連想したのがきっかけで、妖精の住む竹の住家を表現したいと考えたものである。妖精であるからドアや生活用品等を合理的に考える必要はない。また妖精と言っても簡素で質素な服を着た子供、老人、男女の姿を考えており、背中に羽が生えた姿は考えていない。竹の家は節部を床として、前を窓のように大きくあけて人形が入り、後側に明かり取りの窓が付くと雰囲気が出る。屋根は竹の節を利用するか、質素なとんがり屋根、または角を取った切妻屋根か片流れ屋根にするとよい。人形は前面の大きな窓から容易に出し入れでき、竹本体部付近に同じ姿勢で置くことができると望ましい。
【課題を解決するための手段】
【０００５】  比較的太い竹の下方は節の下側を少し残して切り取り、下方の節部を床面とする。上方は上側の節部を屋根とするよう、上側の節部の上方を斜めに切り取る。なお節間の長さがちょうどよいものは自然界では極めて少ないため、上側の節部の下側を少し残して切り取り屋根として、すぐ下側を抜いて全体としてちょうどよい長さにする。屋根部は接着してしまうか、ゆるい嵌合として取り外しや周方向の位置変えができるようにする。節間中央本体部の前面としたい中央近くには大きな窓を開ける。竹の中央少し上方の後側には前側より小さな窓を開けて桟付きの窓枠を付け、明かり取りとする。【０００６】  人形は立ち姿勢で、足元は略円形の台の上に立ち、顔は少し上向きで、片手は窓に軽く乗せ、別の片手は握手を求めるように少し手を上げて、見る人と対話ができそうな人形の形とする。【０００７】  なお屋根部としては、上側の節部の下で切り取った本体部の上に、略円錐形のとんがり屋根をのせる場合もある。この場合、嵌合もあり得るが基本的には接着とする。【０００８】  本体部の上にのせる屋根部として、角部を切り取った切妻屋根とする場合もある。この場合本体部の上側の切り口は屋根に合わせた山形の切り口となり、接着とする。【０００９】  本体部の上にのせる屋根部として、角部を切り取った片流れ屋根とする場合もある。この場合、本体部の上側の切り口は屋根に合わせて斜めの切り口となり、接着となる。【００１０】  なお実際の竹は太さがまちまちで、乾燥による変形や変色があるため、竹を模した成型品を使う場合もある。
【発明の効果】
【００１１】  本発明はいやしと人形との対面、心の中での対話を目的としたものである。基本の形が円筒形のため、あまり場所を取らず、その割に混雑した中でも突出してよく見える。また円筒形のため、周囲のものを傷つけたり、傷つけられたりする恐れが少ない。
【図面の簡単な説明】
【００１２】
【図１】  本発明の竹本体部と屋根部および人形の位置関係を示す斜視図である。
【図２】  図１を後方から見た斜視図で、桟付きの明かり取り窓が見える。
【図３】  図１における人形を前面の窓から取り出し、竹本体部の横に置いた状態を示す斜視図である。
【図４】  図１の屋根部を嵌合式とした場合の嵌合部の構造を示す側面断面図である。
【図５】  屋根部をとんがり屋根とした斜視図で、人形を男女二人とした場合である。
【図６】  図５における人形を前面の窓から取り出し、竹本体部の横に置いた状態を示す斜視図である。
【図７】  図５におけるとんがり屋根の側面断面図である。
【図８】  屋根部を切妻屋根とした例を示す斜視図である。
【図９】  屋根部を片流れ屋根とした例を示す斜視図である。
【発明を実施するための形態】
【００１３】  図１は本発明の竹本体部１と竹屋根部２および人形３の位置関係を示す斜視図で、屋根部として竹の上側の節部を利用した例である。この場合、屋根の上部は斜めに切った形とするとよい。上側の節部と下側の竹本体部を分離せずに一体のものを使う場合もあるが、特に自然の竹の場合、両節の長さがちょうど希望の長さであるものは少ない。本図のように別体式にすれば、ちょうどよい高さにすることができ、このまま接着することも可能であるが、ゆるい嵌合式にすれば取り外しができ、屋根を任意の向きに回転できる。なお、中の人形は簡素で質素な服を着た子供の妖精、老人、または成人の男女の姿で、顔は笑顔で少し上方を向いて立ち、片手は窓に添え、別の片手は軽く上げた姿勢になっている。
【００１４】  図２は図１を後側から見た斜視図である。４は後側にある明かり取り窓で、桟部を付けた透明板が嵌め込んである。
【００１５】  図３は図１における人形を前面の窓からつまんで取り出し、竹本体部の前横に置いた状態を示す斜視図で、人形の足元は略円形の台５の上に一体的に立ち、前面の窓から再度入れても容易に元の位置に収まるようになっている。
【００１６】  図４は図１の竹屋根部２を、取り外しや周方向の回動が可能な嵌合式とした場合の嵌合部の構造を示す側面断面図である。嵌合用円柱または円筒６が接着してある。
【００１７】  図５は本体部１の上の屋根部を略円錐形のとんがり屋根７とした場合の斜視図で、人形を男女二人人形８とした例を示している。
【００１８】  図６は図５における男女二人人形８を前面の窓からつまんで取り出し、竹本体部の前横に置いた状態を示す斜視図である。２体の人形の足元は略円形の台５の上に一体的に立ち、前面の窓から再度入れても容易に元の位置に収まるようになっている。
【００１９】  図７は図５におけるとんがり屋根７の側面断面図である。とんがり屋根は嵌合式とすることも考えられるが、本図では竹本体部１の上に接着する。９は加工用の穴である。
【００２０】  図８は屋根部を切妻屋根１０とした例を示す斜視図で、切妻屋根は円筒形の竹本体部の上にのせるため、角部は切り取った形状とする。この場合竹本体部の上側の切り口は屋根に合わせた山形の切り口となり、接着とする。
【００２１】  図９は屋根部を片流れ屋根１１とした例を示す斜視図である。片流れ屋根も角部を切り取った形状が望ましい。竹本体部の上側の切り口は斜めの切り口となり、接着とする。
【符号の説明】
【００２２】  １    竹本体部
２    竹屋根部
３    人形
４    明かり取り窓
５    略円形の台
６    嵌合用円柱または円筒
７    とんがり屋根
８    男女二人人形
９    加工用の穴
１０    切妻屋根
１１    片流れ屋根
【図１】
2015213726.tif 000003
【図２】
2015213726.tif 000004
【図３】
2015213726.tif 000005
【図４】
2015213726.tif 000006
【図５】
2015213726.tif 000007
【図６】
2015213726.tif 000008
【図７】
2015213726.tif 000009
【図８】
2015213726.tif 000010
【図９】
2015213726.tif 000011